(57)【要約】物品を収容するための取り外し可能なプレートテンション棚は、２つの側方ラック（１）と、ラック（１）に取り付けられるいくつかのプレート（２）とを有する。ラック（１）の柱部（３）の表面形状に係合する複数の溝（４）が、プレート（２）のラック（１）との各接続縁部であってそれぞれの隅から並べて設けられている。プレート（２）がラック（１）に取り付けられたとき、溝（４）は柱部（３）をしっかりと取り囲んで、ラック（１）にプレート（２）を堅固に締め付け固定させることができる。随時にラック（１）の幅を調節することができるとともに、ラック（１）間に追加の支持ラックを付加することができる。
2010521252.tif 000002
【特許請求の範囲】
【請求項１】
柱部（３）を有する２つの側方のラック（１）と、
側方のラック（１）の間に取り付けられるプレート（２）と、を備えるプレートテンション棚であって、
側方のラック（１）の柱部（３）の表面形状に係合する複数の溝（４）がその隅からプレート（２）の両側縁部に設けられ、プレート（２）が側方のラック（１）に取り付けられたとき溝（４）は柱部（３）をしっかりと保持してプレート（２）を側方のラック（１）に堅固に締め付け固定し、小さい冠状の突出部（５）がプレート（２）の溝（４）に設けられるとともに、突出部（５）に対応する凹部（６）が柱部（３）に設けられており、各突出部（５）は凹部（６）内に完全に受け入れられるような大きさであることでプレート（２）がそれ自体で固定されるのを可能にする、プレートテンション棚。
【発明の詳細な説明】
【技術分野】
【０００１】
本発明は、プレートテンション棚に係り、特に、物品を収容するための取り外し可能なプレートテンション棚に関する。
【背景技術】
【０００２】
標準的に、テンション棚は主に、２つの側方のラックと、これらラック間に取り付けられるいくつかのプレートとを備える。プレートは、これに溶接されたＹ字状のジョイントによって固定されて、２つの側方ラックの柱部を緊張させる。このような棚の構造は、複雑であって、その製造も不都合である。組み立てる際、２つの側方ラック間の距離を任意に調節することができず、また、プレートの重量支持能力を増強するために追加の支持ラックを付加することもできない。このため、より幅が広い棚のプレートの強度は、重い重量を支持するには十分ではない。したがって、上記棚のサイズや重量支持能力が制限されている。
【発明の概要】
【発明が解決しようとする課題】
【０００３】
従来技術の状態およびその欠点を概略的に上述したが、本発明の目的は、簡易な構造を有するプレートテンション棚を提供することであり、このプレートテンション棚は、随時に幅調節ができるとともに、追加の支持ラックを棚に付加して重量支持能力を増強できる。さらに、複数の棚を互いに連結することもできる。
【課題を解決するための手段】
【０００４】
上記の本発明の目的は、下記の技術的解決策によって達成される。
【０００５】
プレートテンション棚は、２つの側方のラックと、これらラック間に取り付けられるプレートとを備える。側方ラックの柱部の表面形状に係合する複数の溝が、各プレートの両側縁部に隅から並べて設けられている。上記溝は、プレートがラックに取り付けられたとき、上記柱部をしっかりと保持して、ラック内にプレートを堅固に締め付け固定する。
【０００６】
好ましくは、小さい冠状の突出部がプレートの溝内にさらに設けられ、この突出部に対応する凹部が上記柱部に設けられる。上記突出部は、上記凹部内に完全に受け入れられる大きさのものであり、その結果、プレートがそれ自体で固定される。
【０００７】
好ましくは、プレートはプラスチックプレートであってもよい。プラスチックプレートは、その良好な弾力性のために、取り付けを容易にできるとともに、上記柱部の表面を損傷することもない。
【発明の効果】
【０００８】
上述した技術的解決策によれば、本発明は次のような効果を奏する。
【０００９】
ラックの柱部の形状に一致する溝が設けられていることで、柱部は、溝によってしっかりと取り囲まれてプレートを締め付け固定することができる。また、溝はのこぎり歯状に配置されてもよく、これにより組立時にいつでも２つの側方ラック間の距離調節が可能であるとともに、別の支持ラックを棚に追加してその重量支持能力を増強することができる。これにより、より幅広の棚を構成するか又はいくつかの棚を一緒に連結して、その重量支持能力を改良することができる。このように、本発明の構造は簡易であり、随時に幅を調節することができる。また、追加の支持ラックを棚に付加することもできる。さらに、複数の棚を一緒に連結することができる。これにより、支持能力を増強できる。さらにまた、棚は、三角扇状をなしてもよく、このような三角扇状をなす棚をいくつか連結することにより円筒状またはＳ字状に組み立てられることができる。そうすれば、より便利で、見映えがよくなる。
【図面の簡単な説明】
【００１０】
【図１】図１は、プレートテンション棚を示す概略図である。
【図２】図２は、図１に示すプレートテンション棚の組立前の概略図である。
【図３】図３は、柱部に係合する追加の溝がないプレートテンション棚の概略図である。
【図４】図４は、柱部に係合するための複数の溝を有するプレートテンション棚の概略図である。
【図５】図５は、複数の溝を有するプレートを用いたプレートテンション棚の斜視組立図である。
【図６】図６は、側方ラック間に追加の支持サポートを有するプレートテンション棚の斜視図である。
【図７】図７は、柱部が円柱状柱であるときの、柱部に係合するプレートを示す概略図である。
【図８】図８は、柱部が矩形状柱であるときの、柱部に係合するプレートを示す概略図である。
【図９】図９は、柱部が対をなす円柱状柱であるときの、柱部に係合するプレートを示す概略図である。
【図１０】図１０は、柱部が２つの連結された矩形状柱であるときの、柱部に係合するプレートを示す概略図である。
【図１１】図１１は、柱部が中空で且つ２つの矩形状柱であるときの、柱部に係合するプレートを示す概略図である。
【図１２】図１２は、柱部が円柱状柱であってプレートの溝内に小さい冠状の突出部が形成されているときの、柱部に係合するプレートを示す概略図である。
【図１３】図１３は、柱部が矩形状柱であってプレートの溝内に小さい冠状の突出部が形成されているときの、柱部に係合するプレートを示す概略図である。
【図１４】図１４は、柱部が対をなす円柱状柱であってプレートの溝内に小さい冠状の突出部が形成されているときの、柱部に係合するプレートを示す概略図である。
【図１５】図１５は、三角扇状プレートを含むプレートテンション棚を示す斜視組立図である。
【図１６】図１６は、三角扇状プレートを含むプレートテンション棚を示す分解図である。
【発明を実施するための形態】
【００１１】
本発明は、図面との関連において下記の実施の形態で更に説明される。
【００１２】
図１ないし１６を参照すると、プレートテンション棚は、２つの側方ラック１と、ラック１に取り付けられた数枚のプレート２とを備える。各プレート２の両側であってその隅に、ラック１の柱部３の表面形状に係合する複数の溝４が設けられている。溝４は、プレート２がラック１に取り付けられたとき、柱部３をしっかりと保持して、ラック１にプレート２を堅固に締め付け固定する。
【００１３】
ラック１の柱部３は、円筒状、矩形状、対をなす円筒状、対をなす矩形状、対をなす矩形状であって中空、または、対をなす六角形状の柱であってもよい。これらの外形はすべて本発明の範囲内にある。必要とされる強度にしたがって、単一または対をなす柱部が設けられてもよい。プレート２の溝４は、半円状、半矩形状、または半六角形状をなしている。溝４の数は使用の仕方に応じて決められ、少なくとも１つの溝が４つの隅にそれぞれ配置され、多ければ溝は前方および後方の縁に並んで配列されている。これにより、２つの側方ラック１の間の距離を柔軟に設定することができるか又は２つの側方ラック間に追加の支持ラックを付加することができ、しかも、プレート２を用いて２つ以上の棚を一緒に接続することもできる。
【００１４】
上記柱部の形状および上記溝の配置は、上述した形態に限定されるものではない。
【００１５】
図１２ないし１４を参照すると、小さい冠状の突出部５がプレート２の溝４内に設けられ、突出部５に対応する凹部６が柱部３に設けられている。突出部５は、凹部６内に完全に納まるような大きさのものであり、その結果、プレート２はそれ自体で固定されて簡単に外れることはない。
【００１６】
図１５および１６を参照すると、本発明の棚は、三角扇状をなしてもよい。このような三角扇状をなす棚をいくつか一緒に連結することにより円筒状またはＳ字状の棚に組み立てられることができ、そうすればより便利で見映えがよくなる。
【００１７】
好ましくは、プレートはプラスチックから形成されている。溝を有するプレートは、１段階の成形工程で製造される。その良好な弾力性ゆえに、プレートは締め付け固定を更に容易にすることができ、柱部の表面を傷つけることもない。一方、コストも低減される。
【００１８】
このように、本発明の構造は、簡易である。そして、支持能力を増強するために、随時に幅調節が可能であって、ラックに支持ラックを追加することができる。
【図１】
2010521252.tif 000003
【図２】
2010521252.tif 000004
【図３】
2010521252.tif 000005
【図４】
2010521252.tif 000006
【図５】
2010521252.tif 000007
【図６】
2010521252.tif 000008
【図７】
2010521252.tif 000009
【図８】
2010521252.tif 000010
【図９】
2010521252.tif 000011
【図１０】
2010521252.tif 000012
【図１１】
2010521252.tif 000013
【図１２】
2010521252.tif 000014
【図１３】
2010521252.tif 000015
【図１４】
2010521252.tif 000016
【図１５】
2010521252.tif 000017
【図１６】
2010521252.tif 000018
【国際調査報告】
2010521252.tif 000019
2010521252.tif 000020
2010521252.tif 000021
2010521252.tif 000022
2010521252.tif 000023
2010521252.tif 000024